(57)【要約】【課題】  誤操作を防止できる操作入力装置を提供することを目的とする。【解決手段】  表示画面５１Ｃに表示されている操作キー５５に対向するタッチパネルの操作領域５２Ａが操作され、その位置情報がタッチパネルから出力された場合に、所定時間が計測されるまでは、当該位置情報に対応する操作キー５５を表示画面５１Ｃ上で報知するのみで、当該操作キー５５を選択しない（図４（ａ））。その後、所定時間が計測された場合に、継続して出力されている位置情報に対応する操作キー５５を選択する（図４（ｂ））。ユーザは、操作領域５２Ａ内のいずれかの位置に対する操作を行うことにより、上記所定時間が計測されるまでの間にその位置情報に対応する操作キー５５を報知により確認した上で、そのまま操作を継続することにより、当該操作キー５５を選択することができるので、誤操作を防止できる。【選択図】  図４
2008276370.tif 000002
【特許請求の範囲】
【請求項１】
表示画面に操作キーを表示する表示手段と、
上記表示画面に対向する操作領域を有し、上記操作領域内のいずれかの位置に対して操作が行われているときに、その位置情報を出力する位置情報出力手段と、
上記位置情報出力手段から上記操作キーに対応する位置情報が出力されたときに計時を開始し、当該操作キーに対応する位置情報が継続して出力されている時間を計測する計時手段と、
上記計時手段により所定時間が計測された場合に、上記継続して出力されている位置情報に対応する上記操作キーを選択する操作キー選択手段と、
上記計時手段により計時が開始されてから上記所定時間が計測されるまでの間、上記継続して出力されている位置情報に対応する上記操作キーを第１の態様で報知する操作キー報知手段とを備えたことを特徴とする操作入力装置。
【請求項２】
上記操作キー報知手段は、上記操作キー選択手段により選択された上記操作キーを上記第１の態様とは異なる第２の態様で報知することを特徴とする請求項１に記載の操作入力装置。
【請求項３】
上記操作キー報知手段は、上記表示画面における上記操作キーに対する表示によって報知を行うことを特徴とする請求項１又は２に記載の操作入力装置。
【請求項４】
上記表示手段は、上記表示画面に２以上の上記操作キーを表示し、
上記計時手段は、上記位置情報出力手段から継続して出力されている位置情報が変化し、当該位置情報に対応する上記操作キーが他の上記操作キーへ切り替わった場合には、新たに計時を開始することを特徴とする請求項１に記載の操作入力装置。
【発明の詳細な説明】
【技術分野】
【０００１】
本発明は、操作入力装置に係り、さらに詳しくは、ユーザが表示画面に対向する操作領域に対して操作を行うタッチパネル式の操作入力装置に関する。
【背景技術】
【０００２】
一般的なタッチパネル式の操作入力装置には、表示画面に所定の表示を行う液晶表示器と、上記表示画面に対向するように配置されたタッチパネルとが備えられている。タッチパネルは、薄くて透明なシート状の部材であり、その表面に形成された操作領域内のいずれかの位置にユーザが指を触れて操作が行われた場合に、その位置情報が出力されるようになっている。
【０００３】
このような操作入力装置では、液晶表示器の表示画面に表示した操作キーに対向するタッチパネル上の操作領域が操作されて、その位置情報がタッチパネルから出力されたときに、当該操作キーが選択され、当該操作キーに対応する処理が行われる（例えば、特許文献１）。
【特許文献１】特開２００１−１９５１８８号公報
【発明の開示】
【発明が解決しようとする課題】
【０００４】
しかしながら、従来のタッチパネル式の操作入力装置では、表示画面に表示される操作キーの領域と、当該操作キーに対応するタッチパネル上の操作領域とにずれが生じている場合に、所望の操作キーを良好に選択することができない場合がある。
【０００５】
すなわち、ユーザが、タッチパネル上の操作領域における所望の操作キーに対向する位置に対して操作を行っているにもかかわらず、ユーザ操作に対して当該操作キーに対応する位置情報が出力されるタッチパネル上の操作領域がずれているために、当該操作キーに対応する位置情報がタッチパネルから出力されず、その操作キーを選択することができない場合がある。このような場合には、所望の操作キーに隣接する他の操作キーが選択されて誤操作が生じるおそれがある。
【０００６】
本発明は、上記の事情に鑑みてなされたものであり、誤操作を防止できる操作入力装置を提供することを目的とする。
【課題を解決するための手段】
【０００７】
第１の本発明による操作入力装置は、表示画面に操作キーを表示する表示手段と、上記表示画面に対向する操作領域を有し、上記操作領域内のいずれかの位置に対して操作が行われているときに、その位置情報を出力する位置情報出力手段と、上記位置情報出力手段から上記操作キーに対応する位置情報が出力されたときに計時を開始し、当該操作キーに対応する位置情報が継続して出力されている時間を計測する計時手段と、上記計時手段により所定時間が計測された場合に、上記継続して出力されている位置情報に対応する上記操作キーを選択する操作キー選択手段と、上記計時手段により計時が開始されてから上記所定時間が計測されるまでの間、上記継続して出力されている位置情報に対応する上記操作キーを第１の態様で報知する操作キー報知手段とを備えて構成される。
【０００８】
このような構成によれば、操作領域内のいずれかの位置に対する操作が行われた場合に、その操作が開始されてから所定時間が計測されるまでは、その位置情報に対応する操作キーは選択されず、当該操作キーが報知されるのみであるのに対し、そのまま操作が継続されて上記所定時間が計測されたときには、その位置情報に対応する操作キーが選択される。
【０００９】
したがって、ユーザは、操作領域内のいずれかの位置に対する操作を行うことにより、上記所定時間が計測されるまでの間にその位置情報に対応する操作キーを報知により確認した上で、そのまま操作を継続することにより、当該操作キーを選択することができる。すなわち、操作領域を操作したときに報知された操作キーが所望の操作キーでない場合には、上記所定時間が計測されるまでの間に操作を中止すれば当該操作キーは選択されないので、誤操作を防止できる。
【００１０】
第２の本発明による操作入力装置は、上記構成に加えて、上記操作キー報知手段が、上記操作キー選択手段により選択された上記操作キーを上記第１の態様とは異なる第２の態様で報知するように構成される。
【００１１】
このような構成によれば、操作領域内のいずれかの位置に対する操作が行われた場合に、その操作が開始されてから所定時間が計測されるまでは、その位置情報に対応する操作キーを第１の態様で報知し、そのまま操作が継続されて上記所定時間が計測されたときには、その位置情報に対応する操作キーが選択された旨を第１の態様とは異なる第２の態様で分かりやすく報知することができる。
【００１２】
第３の本発明による操作入力装置は、上記構成に加えて、上記操作キー報知手段が、上記表示画面における上記操作キーに対する表示によって報知を行うように構成される。
【００１３】
このような構成によれば、ユーザが操作している操作領域内の位置に対応する操作キーを当該操作キーに対する表示によって分かりやすく報知することができるので、誤操作を効果的に防止できる。
【００１４】
第４の本発明による操作入力装置は、上記構成に加えて、上記表示手段が、上記表示画面に２以上の上記操作キーを表示し、上記計時手段が、上記位置情報出力手段から継続して出力されている位置情報が変化し、当該位置情報に対応する上記操作キーが他の上記操作キーへ切り替わった場合には、新たに計時を開始するように構成される。
【００１５】
このような構成によれば、操作領域に対する操作を継続しているときに、その操作位置が移動し、当該操作に基づいて出力される位置情報に対応する操作キーが他の操作キーへ切り替わった場合には、新たに計時が開始され、そのまま操作が継続されて上記所定時間が計測されたときに当該他の操作キーが選択される。
【００１６】
したがって、操作領域内におけるいずれかの操作キーに対応する位置を操作することにより、上記所定時間が計測されるまでの間に当該操作キーを報知により確認した後、そのまま操作領域に対する操作を継続しつつ他の操作キーに対応する位置までずらした場合であっても、当該他の操作キーに対応する位置まで操作位置をずらした時点から新たに計時が開始され、上記所定時間が経過するまで当該操作キーの報知が行われる。これにより、操作領域に対する操作を継続しつつ操作位置をずらしたことによって対応する操作キーが切り替わった場合であっても、その操作キーを報知により確認する時間が短くなるのを防止できるので、誤操作を効果的に防止できる。
【発明の効果】
【００１７】
本発明によれば、ユーザは、操作領域内のいずれかの位置に対する操作を行うことにより、上記所定時間が計測されるまでの間にその位置情報に対応する操作キーを報知により確認した上で、そのまま操作を継続することにより、当該操作キーを選択することができるので、誤操作を防止できる。
【発明を実施するための最良の形態】
【００１８】
図１は、本発明の実施の形態による操作入力装置の構成例を示したブロック図であり、操作入力装置の一例としてデジタル複合機１を示している。このデジタル複合機１は、スキャナ２で読み取った原稿の画像データに基づいてプリンタ機構３で用紙に画像を印刷するコピー機能や、スキャナ２で読み取った原稿の画像データを通信部４からファクシミリ送信するファクシミリ機能などを備えている。
【００１９】
このデジタル複合機１には、上記のスキャナ２、プリンタ機構３及び通信部４に加えて、操作表示部５及びメモリ６が備えられ、これらの動作が、プロセッサからなる制御部７により制御されるようになっている。メモリ６は、ＲＡＭ(Random Access Memory)やＲＯＭ(Read-Only Memory)により構成されている。
【００２０】
スキャナ２は、原稿に向けて光を照射し、原稿からの反射光を受光することにより、その受光量に応じた信号を制御部７へ出力する原稿読取手段である。このスキャナ２からの信号に基づいて原稿の画像データが生成され、生成された画像データがメモリ６に格納される。プリンタ機構３は、メモリ６に格納された画像データに基づく画像を用紙に印刷する印刷手段である。このプリンタ機構３は、感光体ドラム、帯電器、現像装置、転写装置及び定着装置などからなる周知の印刷手段であるため、ここでは詳細な説明を省略することとする。
【００２１】
通信部４は、ファクシミリ装置などの相手方端末との間で通信を行う通信手段である。このデジタル複合機１がファクシミリ送信を行う場合には、通信部４が相手方のファクシミリ装置との間で接続状態を確立させた後、スキャナ２で読み取った原稿の画像データが送信される。一方、ファクシミリ受信を行う場合には、通信部４を介して相手方のファクシミリ装置から画像データを受信し、その画像データに基づく画像がプリンタ機構３において用紙に印刷される。
【００２２】
操作表示部５には、液晶表示器５１、タッチパネル５２及び操作表示基板５３が備えられている。液晶表示器５１は、その表示画面に操作キーなどの各種表示を行う表示手段である。タッチパネル５２は、液晶表示器５１の表示画面に対向する操作領域を有する位置情報出力手段であり、操作領域に対するユーザ操作に基づいて、その操作位置の位置情報として座標情報を出力する。液晶表示器５１及びタッチパネル５２は、操作表示基板５３に取り付けられることにより、一体的な操作表示部５として構成されている。
【００２３】
図２は、操作表示部５の構成例を示した分解斜視図である。この操作表示部５では、操作表示基板５３の基板面５３Ａ上に液晶表示器５１が設けられるとともに、液晶表示器５１に対して操作表示基板５３と反対側に対向するようにタッチパネル５２が設けられている。
【００２４】
液晶表示器５１は、互いに対向する第１面５１Ａ及び第２面５１Ｂを有する薄い板状に形成されており、第１面５１Ａがタッチパネル５２に対向し、第２面５１Ｂが操作表示基板５３の基板面５３Ａに対向するように配置される。液晶表示器５１の第１面５１Ａには、操作キーなどの各種表示を行うための表示画面５１Ｃが形成されている。
【００２５】
タッチパネル５２は、液晶表示器５１の表示画面５１Ｃ全体を覆っており、表示画面５１Ｃに対向する領域が、ユーザ操作に対して位置情報が出力される操作領域５２Ａを形成している。タッチパネル５２は、少なくとも操作領域５２Ａが透明な薄いシート状の部材により構成されている。
【００２６】
このタッチパネル５２は、操作領域５２Ａ内のいずれかの位置に対して所定の閾値以上の押圧力で操作が行われているときに、その操作位置の位置情報を出力する感圧式のタッチパネルであってもよいし、操作領域５２Ａ内のいずれかの位置における静電容量の変化に基づいて、その位置情報を出力する静電式のタッチパネルであってもよい。
【００２７】
この操作表示部５では、液晶表示器５１の表示画面５１Ｃに表示されている操作キーに対向するタッチパネル５２上の操作領域５２Ａにユーザが指を接近又は接触させることにより、その操作キーに対応する位置情報がタッチパネル５２から出力され、その出力信号に基づいて当該操作キーが選択されるようになっている。
【００２８】
図３は、制御部７の構成例を示した機能ブロック図である。制御部７は、タッチパネル５２から出力される位置情報に基づいて、液晶表示器５１の表示画面５１Ｃ上の当該位置情報に対応する操作キーを報知する制御や、その操作キーを選択して、当該操作キーに対応する処理を実行する制御を行う制御手段である。制御部７は、操作キー報知部７１、操作キー選択部７２、処理実行部７３及び計時部７４を備え、これらの各機能ブロックは、制御部７が実行するコンピュータプログラムにより実現される。
【００２９】
メモリ６には、液晶表示器５１の表示画面５１Ｃに表示される各操作キーに対応付けて位置情報が記憶されている。すなわち、タッチパネル５２の操作領域５２Ａにおいて各操作キーに対応する座標範囲が位置情報としてメモリ６に記憶されている。したがって、タッチパネル５２の操作領域５２Ａに対する操作が行われた場合には、メモリ６に記憶されている位置情報に基づいて、その操作位置の座標が上記座標範囲に含まれる操作キーを特定することができる。
【００３０】
計時部７４は、液晶表示器５１の表示画面５１Ｃに表示されている同一の操作キーに対応する位置情報がタッチパネル５２から継続して出力されている時間を計測する計時手段である。したがって、タッチパネル５２の操作領域５２Ａにおける同一の操作キーに対応する座標範囲内で、ユーザが指を接近又は接触させた状態を維持しているときには、計時部７４による計時が継続されるようになっている。すなわち、ユーザが指の位置をずらした場合であっても、その位置が同一の操作キーに対応する座標範囲内であれば、計時部７４は継続して計時を行う。
【００３１】
計時部７４は、液晶表示器５１の表示画面５１Ｃに表示されている操作キーに対応する位置情報がタッチパネル５２から出力されたときに計時を開始する。また、液晶表示器５１の表示画面５１Ｃに２以上の操作キーが表示されている場合において、いずれかの操作キーに対応する位置情報がタッチパネル５２から継続して出力されているときに、ユーザが指の位置をずらすことにより当該位置情報に対応する操作キーが他の操作キーへ切り替わった場合には、計時部７４は新たに計時を開始するようになっている。
【００３２】
操作キー選択部７２は、タッチパネル５２から出力される位置情報に基づいて、液晶表示器５１の表示画面５１Ｃ上における対応する操作キーを特定するとともに、計時部７４からの出力信号に基づいて、特定した操作キーを選択する操作キー選択手段である。より具体的には、操作キー選択部７２は、計時部７４により所定時間が計測された場合、すなわち液晶表示器５１の表示画面５１Ｃに表示されている同一の操作キーに対応する位置情報がタッチパネル５２から継続して上記所定時間出力された場合に、その継続して出力されている位置情報に対応する操作キーを選択する。上記所定時間は、例えば０．３〜０．５秒程度に設定されている。処理実行部７３は、操作キー選択部７２により選択された操作キーに対応する処理を実行する。
【００３３】
操作キー報知部７１は、液晶表示器５１の表示画面５１Ｃ上における操作キーの表示態様を変更することにより、その操作キーをユーザに報知する操作キー報知手段である。操作キー報知部７１は、タッチパネル５２から出力される位置情報に基づいて、液晶表示器５１の表示画面５１Ｃ上における対応する操作キーを特定し、その操作キーの表示画面５１Ｃ上における表示態様を変更することにより、当該操作キーをユーザに報知する。また、操作キー報知部７１は、液晶表示器５１の表示画面５１Ｃ上のいずれかの操作キーが操作キー選択部７２により選択された場合に、その操作キーの表示態様を変更することにより、当該操作キーをユーザに報知する。
【００３４】
図４は、液晶表示器５１の表示画面５１Ｃにおける操作キー５５の報知態様の一例を示した図であり、（ａ）は操作領域５２Ａに対する操作が開始されてから操作キー５５が選択されるまでの状態、（ｂ）は操作キー５５が選択された状態を示している。
【００３５】
ユーザが、液晶表示器５１の表示画面５１Ｃに表示されている操作キー５５のいずれかに対向するタッチパネル５２の操作領域５２Ａを操作した場合、計時部７４による計時が開始されるとともに、その位置情報がタッチパネル５２から出力され、当該位置情報に対応する操作キー５５が表示画面５１Ｃ上で報知される。この例では、図４（ａ）に示すように、上記位置情報に対応する操作キー５５の一部分のみが反転表示されるという第１の態様により、液晶表示器５１の表示画面５１Ｃにおける当該操作キー５５に対する表示によって報知が行われるようになっている。
【００３６】
その後、計時部７４により所定時間が計測されるまでの間、すなわち同一の操作キー５５に対応する位置情報が継続して上記所定時間出力されるまでの間は、その位置情報に対応する操作キー５５は選択されず、当該操作キー５５がユーザに報知される。
【００３７】
計時部７４により上記所定時間が計測されたときには、その位置情報に対応する操作キー５５を選択する処理が行われる。このとき、液晶表示器５１の表示画面５１Ｃ上において、選択された操作キー５５が上記第１の態様とは異なる態様で報知されるようになっている。この例では、図４（ｂ）に示すように、上記位置情報に対応する操作キー５５の全体が反転表示されるという第２の態様により、液晶表示器５１の表示画面５１Ｃにおける当該操作キー５５に対する表示によって報知が行われるようになっている。
【００３８】
なお、この図４に示したような報知態様は、液晶表示器５１の表示画面５１Ｃに表示されている操作キー５５の面積が、一般的なユーザの指先の面積と比べて十分に大きい場合に有効である。
【００３９】
図５は、液晶表示器５１の表示画面５１Ｃにおける操作キー５５の報知態様の変形例を示した図であり、（ａ）は操作領域５２Ａに対する操作が開始されてから操作キー５５が選択されるまでの状態、（ｂ）は操作キー５５が選択された状態を示している。
【００４０】
この例では、液晶表示器５１の表示画面５１Ｃに表示されている操作キー５５のいずれかに対向するタッチパネル５２の操作領域５２Ａが操作されて、計時部７４による計時が開始された後、計時部７４により所定時間が計測されるまでの間は、その位置情報に対応する操作キー５５は選択されず、当該操作キー５５が、図５（ａ）に示すような態様でユーザに報知されるようになっている。すなわち、上記位置情報に対応する操作キー５５の全体が反転表示されるという第１の態様により、液晶表示器５１の表示画面５１Ｃにおける当該操作キー５５に対する表示によって報知が行われるようになっている。
【００４１】
一方、計時部７４により上記所定時間が計測されたときには、その位置情報に対応する操作キー５５が選択され、当該操作キー５５が、図５（ｂ）に示すような態様でユーザに報知されるようになっている。すなわち、上記位置情報に対応する操作キー５５の全体が点滅表示されるという第２の態様により、液晶表示器５１の表示画面５１Ｃにおける当該操作キー５５に対する表示によって報知が行われるようになっている。
【００４２】
なお、この図５に示したような報知態様は、液晶表示器５１の表示画面５１Ｃに表示されている操作キー５５の面積が、一般的なユーザの指先の面積と同程度又はそれよりも小さい場合に有効である。
【００４３】
図６は、タッチパネル５２の操作領域５２Ａに対する操作が行われたときのデジタル複合機１による処理の一例を示したフローチャートである。ユーザがタッチパネル５２の操作領域５２Ａ内のいずれかの操作キー５５に対応する位置を操作した場合、計時部７４による計時が開始されるとともに（ステップＳ１０１）、その操作位置の位置情報に対応する操作キー５５が第１の態様で報知される（ステップＳ１０２）。
【００４４】
その後、液晶表示器５１の表示画面５１Ｃにおける操作キー５５の報知は第１の態様のまま維持され、タッチパネル５２から継続して出力される位置情報に対応する操作キー５５が他の操作キー５５へ切り替わることなく（ステップＳ１０３でＮｏ）、所定時間が経過した場合には（ステップＳ１０４でＹｅｓ）、その操作位置の位置情報に対応する操作キー５５を選択する処理が行われる（ステップＳ１０５）。このとき、その操作位置の位置情報に対応する操作キー５５が上記第１の態様とは異なる第２の態様で報知される（ステップＳ１０６）。
【００４５】
一方、上記所定時間が経過するまでの間に、ユーザがタッチパネル５２に対する操作を中止した場合には（ステップＳ１０７でＮｏ）、操作キー５５を選択する処理は行われず、液晶表示器５１の表示画面５１Ｃにおける当該操作キー５５の報知は終了する。
【００４６】
これに対して、上記所定時間が経過するまでの間にユーザが指の位置をずらすことにより、タッチパネル５２から継続して出力される位置情報が変化し、当該位置情報に対応する操作キー５５が他の操作キー５５へ切り替わった場合には（ステップＳ１０３でＹｅｓ）、計時部７４による計時が新たに「０」から開始されるとともに、切り替わった後の操作キー５５が第１の態様で報知される（ステップＳ１０２）。
【００４７】
本実施の形態では、操作領域５２Ａ内のいずれかの位置に対する操作が行われた場合に、その操作が開始されてから所定時間が計測されるまでは、その位置情報に対応する操作キー５５は選択されず、当該操作キー５５が報知されるのみであるのに対し、そのまま操作が継続されて上記所定時間が計測されたときには、その位置情報に対応する操作キー５５が選択される。
【００４８】
したがって、ユーザは、操作領域５２Ａ内のいずれかの位置に対する操作を行うことにより、上記所定時間が計測されるまでの間にその位置情報に対応する操作キー５５を報知により確認した上で、そのまま操作を継続することにより、当該操作キー５５を選択することができる。すなわち、操作領域５２Ａを操作したときに報知された操作キー５５が所望の操作キー５５でない場合には、上記所定時間が計測されるまでの間に操作を中止すれば当該操作キー５５は選択されないので、誤操作を防止できる。
【００４９】
また、本実施の形態では、操作領域５２Ａ内のいずれかの位置に対する操作が行われた場合に、その操作が開始されてから所定時間が計測されるまでは、その位置情報に対応する操作キー５５を第１の態様で報知し、そのまま操作が継続されて上記所定時間が計測されたときには、その位置情報に対応する操作キー５５が選択された旨を第１の態様とは異なる第２の態様で分かりやすく報知することができる。これらの報知時には、ユーザが操作している操作領域５２Ａ内の位置に対応する操作キー５５を当該操作キー５５に対する表示によって分かりやすく報知することができるので、誤操作を効果的に防止できる。
【００５０】
さらに、本実施の形態では、操作領域５２Ａに対する操作を継続しているときに、その操作位置が移動し、当該操作に基づいて出力される位置情報に対応する操作キー５５が他の操作キー５５へ切り替わった場合には、新たに計時が開始され、そのまま操作が継続されて上記所定時間が計測されたときに当該他の操作キー５５が選択される。
【００５１】
したがって、操作領域５２Ａ内におけるいずれかの操作キー５５に対応する位置を操作することにより、上記所定時間が計測されるまでの間に当該操作キー５５を報知により確認した後、そのまま操作領域５２Ａに対する操作を継続しつつ他の操作キー５５に対応する位置までずらした場合であっても、当該他の操作キー５５に対応する位置まで操作位置をずらした時点から新たに計時が開始され、上記所定時間が経過するまで当該操作キー５５の報知が行われる。これにより、操作領域５２Ａに対する操作を継続しつつ操作位置をずらしたことによって対応する操作キー５５が切り替わった場合であっても、その操作キー５５を報知により確認する時間が短くなるのを防止できるので、誤操作を効果的に防止できる。
【００５２】
以上の実施の形態では、液晶表示器５１の表示画面５１Ｃに表示されている操作キー５５の報知が、表示画面５１Ｃにおける当該操作キー５５に対する表示によって行われるような構成について説明したが、このような構成に限らず、表示画面５１Ｃにおける当該操作キー５５とは異なる領域に対する表示によって行われるような構成であってもよい。また、液晶表示器５１の表示画面５１Ｃに対する表示によって操作キー５５の報知が行われるような構成に限らず、音声などの他の態様で報知が行われるような構成であってもよい。
【００５３】
また、以上の実施の形態では、操作入力装置の一例としてデジタル複合機１に本発明を適用した場合について説明したが、本発明は、デジタル複合機に限らず、ユーザが表示画面に対向する操作領域に対して操作を行うことができるような他の操作入力装置にも適用可能である。
【図面の簡単な説明】
【００５４】
【図１】本発明の実施の形態による操作入力装置の構成例を示したブロック図であり、操作入力装置の一例としてデジタル複合機を示している。
【図２】操作表示部の構成例を示した分解斜視図である。
【図３】制御部の構成例を示した機能ブロック図である。
【図４】液晶表示器の表示画面における操作キーの報知態様の一例を示した図であり、（ａ）は操作領域に対する操作が開始されてから操作キーが選択されるまでの状態、（ｂ）は操作キーが選択された状態を示している。
【図５】液晶表示器の表示画面における操作キーの報知態様の変形例を示した図であり、（ａ）は操作領域に対する操作が開始されてから操作キーが選択されるまでの状態、（ｂ）は操作キーが選択された状態を示している。
【図６】タッチパネルの操作領域に対する操作が行われたときのデジタル複合機による処理の一例を示したフローチャートである。
【符号の説明】
【００５５】
１  デジタル複合機
５  操作表示部
６  メモリ
７  制御部
５１  液晶表示器
５１Ｃ  表示画面
５２  タッチパネル
５２Ａ  操作領域
５３  操作表示基板
５５  操作キー
７１  操作キー報知部
７２  操作キー選択部
７３  処理実行部
７４  計時部
【図１】
2008276370.tif 000003
【図２】
2008276370.tif 000004
【図３】
2008276370.tif 000005
【図４】
2008276370.tif 000006
【図５】
2008276370.tif 000007
【図６】
2008276370.tif 000008